(57)【要約】【課題】  資源は、容易に使用し使い捨てる時代から、現在は、例えば、読み終えた新聞の一枚でも、割りばしの一本でも大切にしなければ社会悪とされる時代であり、コピー用紙やプリント用紙に於いても、一枚一枚が大切にしなければならない資源である。【解決手段】  従来に一般的に使用されている定型用紙のＡ３、Ｂ４、Ａ４、Ｂ５サイズ等或いはＢ４、Ａ４、Ｂ５サイズ等或いはＡ４、Ｂ５サイズ等に加えて、Ａ５又はＡ５サイズ以下の用紙の供給を確実にして、余白の少ない適正サイズの書類作りや用紙作りにより供給紙の使用量の削減を可能にする紙に情報を写す装置の提供。【選択図】  図２
2012229079.tif 000002
【特許請求の範囲】
【請求項１】
同一給紙場所に複数の充積部を設ける事が可能な事務用家庭用の紙に情報を写す装置。
【請求項２】
同一給紙場所に複数の充積部を設ける事が可能であり、複数の充積部の供給紙の側面を押さえ固定する為の側面紙押さえを設け、複数の充積部から供給紙を取り出す為の複数の取り出し部を設けた事務用家庭用の紙に情報を写す装置。
【請求項３】
同一給紙場所が、一つの用紙カセット又は一つの用紙ユニット又は同一平面上にある複数の用紙カセット又は同一平面上にある複数の用紙ユニットである請求項１、２の事務用家庭用の紙に情報を写す装置。
【請求項４】
同一給紙場所が、一つの用紙カセット又は一つの用紙ユニットである請求項１、２の事務用家庭用の紙に情報を写す装置。
【請求項５】
同一給紙場所が、同一平面上にある複数の用紙カセット又は同一平面上にある複数の用紙ユニットである請求項１、２の事務用家庭用の紙に情報を写す装置。
【請求項６】
複数の充積部を平面上の供給紙の取り出し方向に平行に並べて設ける事が可能な請求項１、２、３、４、５の事務用家庭用の紙に情報を写す装置。
【請求項７】
複数の充積部を平面上の供給紙の取り出し方向と直角に交差する方向に並べて設ける事が可能な請求項１、２、３、４、５の事務用家庭用の紙に情報を写す装置。
【請求項８】
定型用紙のＡ５サイズ専用又はＡ５サイズ以下専用の充積部を設けた請求項１、２、３、４、５、６、７の事務用家庭用の紙に情報を写す装置。
【請求項９】
定型用紙のＡ５サイズ専用又はＡ５サイズ以下専用の充積部を設けた事務用家庭用の紙に情報を写す装置。
【発明の詳細な説明】
【技術分野】
【０００１】
事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す装置に関する。
【背景技術】
【０００２】
従来の事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す装置で供給紙の加工（供給紙に情報を写す作業）を行なう為に、供給紙を前もって収納する場所である給紙場所は、定型用紙等を各サイズ別に高さ方向に分けて設けたカセットやユニット等が一般的である。
【０００３】
これを、具体例を用いて示せば、図１（１−１）の代表例が示す様に、給紙場所１１、１２、１３、１４である各段の用紙ユニット４１、４２、４３、４４は、一般的に使用されている定型用紙のＡ３、Ｂ４、Ａ４、Ｂ５サイズ等の供給紙を高さ方向に分けて収納する手段が一般的である。
【０００４】
この理由のとして、次の三つを挙げる事が出来る。
第一の理由は、従来技術の時代背景に因る。
即ち、生産性だけを求めた時代（環境問題が深刻でない時代）に於いては、紙は低価格に、容易く、ユーザーに供給される消耗品であり、わざわざ、手間、時間、設備をかけて、前記の一般的に使用されている定型用紙のＡ３、Ｂ４、Ａ４、Ｂ５サイズ等より小さい紙を使用する概念が一般的に無かった事に因る。
【０００５】
第二の理由は、前記の事務用家庭用の紙に情報を写す装置の構造も、このユーザーの需要に合わせて、前記の一般的に使用されているサイズより小さいサイズの紙を積極的に使用し、積極的に紙を節約する事を大きな前提としていなかった事に因る。
即ち、前記の一般的に使用されているサイズより多いサイズの紙を使用する事を大きな前提としていなかった事に因る。
【０００６】
第三の理由は、更に、技術的に、紙を充積する為の部である充積部は、先ず、一般的に使用されているサイズの給紙可能な最大定型用紙のＡ３サイズに合わせて広いスペースの給紙場所を確保し、供給紙の側面を押さえて固定する為の側面紙押さえで調節をして一般的に使用されている定型用紙のＡ３、Ｂ４、Ａ４、Ｂ５サイズ等を収納する手段を設けていた事に因る。或いは一般的に使用されている定型用紙の需要の多いＢ４、Ａ４サイズ或いはＡ４サイズに合わせて広いスペースの給紙場所を確保し、供給紙の側面を押さえて固定する為の側面紙押さえで調節をして一般的に使用されている定型用紙のＢ４、Ａ４、Ｂ５サイズ等或いはＡ４、Ｂ５サイズ等を収納する手段を設けていた事に因る。
即ち、一般的に使用されているサイズに加えて、一般的に使用されているサイズより小さいサイズの紙を使用可能にする為のスペースを積極的に確保する為の手段を設けていなかった事に因る。
【０００７】
これを、具体例を用いて示せば、図１（１−２）の代表例が示す様に、用紙ユニット４４は、給紙可能な最大定型用紙のＡ３サイズの紙を供給できる広い給紙場所１４を設け、紙を充積する為の部である充積部３１には、この給紙場所よりはるかに小さい定型用紙のＢ５サイズの供給紙７１を、供給紙の側面を押さえて固定する為の側面紙押さえ８１、８２、８３で広いスペースを空けて寄せている。
【発明の概要】
【発明が解決しようとする課題】
【０００８】
資源は、容易に使用し使い捨てる時代から、現在は、例えば、読み終えた新聞の一枚でも、割りばしの一本でも大切にしなければ社会悪とされる時代であり、コピー用紙やプリント用紙に於いても、一枚一枚が大切な資源であり、この節約の意識を持たなければならない時代に変革している。
即ち、コピー用紙やプリント用紙に於いては、再生紙の使用と同様に、この使用量を抑制する事が大切なエコである。
【０００９】
本発明の課題は、事務用家庭用コピー機や事務用製版印刷機や事務用家庭用プリンタやコピー機能を装備した事務用家庭用複合機やプリント機能を装備した事務用家庭用複合機等の事務用家庭用の紙に情報を写す装置に、従来に一般的に使用されている定型用紙のＡ３、Ｂ４、Ａ４、Ｂ５サイズ等或いはＢ４、Ａ４、Ｂ５サイズ等或いはＡ４、Ｂ５サイズ等より小さなサイズの紙の供給を確実に可能にする事にある。
【００１０】
このサイズは、Ａ５サイズ又はＡ５サイズ以下であり、例えば、従来に一般的に最も多く使用されているＡ４サイズの１／２又は１／２以下の大きさであり、Ａ４サイズの用紙を１／２又は１／２以下に減らす事が出来るサイズであり、余白の少ない適正サイズの書類作りや余白の少ない適正サイズの用紙作りにより供給紙の使用量の削減を可能にする。
【００１１】
更に、本発明の課題は、前記の紙に情報を写す装置に、従来に一般的に使用されている定型用紙のＡ３、Ｂ４、Ａ４、Ｂ５サイズ等或いはＢ４、Ａ４、Ｂ５サイズ等或いはＡ４、Ｂ５サイズ等に加えて、従来に一般的に使用されている定型用紙のサイズより小さな定型用紙のＡ５サイズ又はＡ５サイズ以下の紙の供給を可能にする事にある。
即ち、本発明は、前記の紙に情報を写す装置の給紙可能な供給紙の用紙サイズ数を増やす事を可能にする。
【００１２】
更に、本発明の課題は、前記の紙に情報を写す装置の給紙場所のスペースを利用して、紙を充積する為の部である充積部を増やす事を可能にする事にある。
即ち、本発明は、前記の紙に情報を写す装置を大型化する事無く、或いはさほど大型化する事無く、給紙可能なサイズ数を増やす事を可能にする。
【課題を解決するための手段】
【００１３】
請求項１の発明は、同一給紙場所に複数の充積部を設ける事が可能な事務用家庭用の紙に情報を写す装置である。
【００１４】
請求項２の発明は、同一給紙場所に複数の充積部を設ける事が可能であり、複数の充積部の供給紙の側面を押さえ固定する為の側面紙押さえを設け、複数の充積部から供給紙を取り出す為の複数の取り出し部を設けた事務用家庭用の紙に情報を写す装置である。
【００１５】
請求項３の発明は、同一給紙場所が、一つの用紙カセット又は一つの用紙ユニット又は同一平面上にある複数の用紙カセット又は同一平面上にある複数の用紙ユニットである請求項１、２の事務用家庭用の紙に情報を写す装置である。
【００１６】
請求項４の発明は、同一給紙場所が、一つの用紙カセット又は一つの用紙ユニットである請求項１、２の事務用家庭用の紙に情報を写す装置である。
【００１７】
請求項５の発明は、同一給紙場所が、同一平面上にある複数の用紙カセット又は同一平面上にある複数の用紙ユニットである請求項１、２の事務用家庭用の紙に情報を写す装置である。
【００１８】
請求項６の発明は、複数の充積部を平面上の供給紙の取り出し方向に平行に並べて設ける事が可能な請求項１、２、３、４、５の事務用家庭用の紙に情報を写す装置である。
【００１９】
請求項７の発明は、複数の充積部を平面上の供給紙の取り出し方向と直角に交差する方向に並べて設ける事が可能な請求項１、２、３、４、５の事務用家庭用の紙に情報を写す装置である。
【００２０】
請求項８の発明は、定型用紙のＡ５サイズ専用又はＡ５サイズ以下専用の充積部を設けた請求項１、２、３、４、５、６、７の事務用家庭用の紙に情報を写す装置である。
【００２１】
請求項９の発明は、定型用紙のＡ５サイズ専用又はＡ５サイズ以下専用の充積部を設けた事務用家庭用の紙に情報を写す装置である。
【発明の効果】
【００２２】
従来の給紙場所のスペースを利用して、（従来の給紙場所のスペースを広げる事無く、或いは従来の給紙場所のスペースをさほど広げる事無く、）収納可能な用紙サイズ数を増やす事を可能にする。
【００２３】
加えて、請求項９の発明は、装置本体の任意の場所に従来より小さなスペースの充積部を設ける事を可能にする。
【００２４】
更に、従来の一般的に使用されている定型用紙のサイズに加えてＡ５サイズの用紙又はＡ５サイズ以下の用紙を用紙ユニットや用紙カセット等の給紙場所に供給可能にして、Ａ５サイズの用紙又はＡ５サイズ以下の用紙の使用を容易にする。
これにより、例えば、図２が示す様に、余白の多い書類や余白の多い用紙（２−１）を減らし、余白の少ない適正サイズでの書類作りや余白の少ない適正サイズでの用紙作りにより紙資源の節約を可能にする（２−２）。
【００２５】
尚、図例は、余白部分を除いた必要部分を、（供給紙の１／２の部分を、）等身大でコピー或いはプリントをしているが、その他の例として、原稿や原画を、１／２のサイズの縮小サイズでコピー或いはプリントをする事により使用紙を１／２に削減する事を可能にする。
【００２６】
更に、充積部に補充した紙の使用量により、どれ程の量の紙を節約できたか、容易に把握する事が可能である。
（例えば、補充した定型用紙のＡ５サイズの紙を５００枚使用すれば、定型用紙のＡ４サイズの紙を２５０枚の節約をした事になる。）
【００２７】
更に、現在の時代背景により、エコの普及を推し進める事が可能である。
特に、再生紙の使用を積極的に推し進める（エコを積極的に推し進める）国や地方やその他の多くの場所に対して、本発明の普及を推し進める事が期待できる。
【００２８】
更に、請求項１、２、３、４、５、６、７の発明は、側面紙押さえの紙押さえを給紙場所に収まる範囲内で供給紙の用紙サイズ別に調節可能にして、充積部を給紙場所に収まる範囲内で供給紙のサイズ別に対応させる事を可能にする。
【００２９】
更に、請求項１、２、３、４、５、６、７の発明は、側面紙押さえの紙押さえを調節可能にして、充積部を一か所から複数か所に使い分ける事を可能にする。
【００３０】
更に、請求項８、９の発明は、充積部に供給できる供給紙のサイズを予め従来サイズより小さく制限して設ける技術により、従来技術と比較して必要以上に余分な給紙場所のスペースを確保する必要が無く装置本体の小型化を可能にする。
【００３１】
更に、本発明は、定型用紙に限らずハガキ、写真、カード等の用紙の給紙を充積部に収まる範囲内のサイズで可能にする。
【図面の簡単な説明】
【００３２】
【図１】（１−１）従来技術の立面図。（１−２）同装置の給紙場所の平面図。
【図２】（２−１）余白の多い書類等。（２−２）適正サイズの書類等。
【図３】（３−１）本発明装置の立面図。（３−２）同装置の給紙場所の平面図。            （３−３）本発明装置の側面図。
【図４】（４−１）本発明装置の立面図。（４−２）同装置の給紙場所の平面図。            （４−３）本発明装置の側面図。
【図５】（５−１）本発明装置の立面図。（５−２）同装置の給紙場所の平面図。            （５−３）本発明装置の側面図。
【図６】（６−１）本発明装置の立面図。（６−２）同装置の給紙場所の平面図。            （６−３）本発明装置の側面図。
【図７】（７−１）（７−２）本発明装置の給紙場所の平面図。
【発明を実施するための形態】
【００３３】
請求項１の発明に関する形態は、図３、４、５、６、７の概略図がこの代表例を示している。
例えば、図３の代表例は、同一給紙場所１４ａに複数の充積部３１ａ、３２ａを設ける事が可能な事務用家庭用の紙に情報を写す装置である。
例えば、図４の代表例は、同一給紙場所１２ｂに複数の充積部３１ｂ、３２ｂを設ける事が可能な事務用家庭用の紙に情報を写す装置である。
例えば、図５の代表例は、同一給紙場所１２ｃに複数の充積部３１ｃ、３２ｃを設ける事が可能な事務用家庭用の紙に情報を写す装置である。
例えば、図６の代表例は、同一給紙場所１４ｄに複数の充積部３１ｄ、３２ｄを設ける事が可能な事務用家庭用の紙に情報を写す装置である。
例えば、図７（７−１）の代表例は、同一給紙場所１１ｅに複数の充積部３１ｅ、３２ｅ、３３ｅを設ける事が可能な事務用家庭用の紙に情報を写す装置である。
例えば、図７（７−２）の代表例は、同一給紙場所１１ｆに複数の充積部３１ｆ、３２ｆ、３３ｆ、３４ｆを設ける事が可能な事務用家庭用の紙に情報を写す装置である。
尚、事務用家庭用の紙に情報を写す装置とは、事務用家庭用コピー機や事務用製版印刷機や事務用家庭用プリンタやコピー機能を装備した事務用家庭用複合機やプリント機能を装備した事務用家庭用複合機等である。
尚、給紙場所は、供給紙の加工（供給紙に情報を写す作業）を行なう為に、供給紙を前もって収納できる場所である。
尚、充積部は、給紙場所の供給紙を充積する為の部である。
尚、図３、４、５、６の代表例は、充積部を二か所の複数で示している。
尚、図７の代表例は、充積部を二か所以上の複数で示している
尚、図７の代表例は、充積部３３ｅ、３３ｆ、３４ｆに給紙していない状態で示している。
【００３４】
請求項２の発明に関する形態は、図３、４、５、６の概略図がこの代表例を示している。
例えば、図３の代表例は、同一給紙場所１４ａに複数の充積部３１ａ、３２ａを設ける事が可能であり、複数の充積部の供給紙７１ａ、７２ａの側面を押さえ固定する為の側面紙押さえ８１ａ、８３ａ、８５ａ及び８２ａ、８４ａ、８６ａを設け、複数の充積部から供給紙を（取り出し方向６１ａ、６２ａに）取り出す為の複数の取り出し部を設けた事務用家庭用の紙に情報を写す装置である。
例えば、図４の代表例は、同一給紙場所１２ｂに複数の充積部３１ｂ、３２ｂを設ける事が可能であり、複数の充積部の供給紙７１ｂ、７２ｂの側面を押さえ固定する為の側面紙押さえ８１ｂ、８３ｂ及び８２ｂ、８４ｂを設け、複数の充積部から供給紙を（取り出し方向６１ｂ、６２ｂに）取り出す為の複数の取り出し部を設けた事務用家庭用の紙に情報を写す装置である。
例えば、図５の代表例は、同一給紙場所１２ｃに複数の充積部３１ｃ、３２ｃを設ける事が可能であり、複数の充積部の供給紙７１ｃ、７２ｃの側面を押さえ固定する為の側面紙押さえ８１ｃ、８３ｃ、８４ｃ及び８２ｃ、８５ｃ、８６ｃを設け、複数の充積部から供給紙を（取り出し方向６１ｃ、６２ｃに）取り出す為の複数の取り出し部を設けた事務用家庭用の紙に情報を写す装置である。
例えば、図６の代表例は、同一給紙場所１４ｄに複数の充積部３１ｄ、３２ｄを設ける事が可能であり、複数の充積部の供給紙７１ｄ、７２ｄの側面を押さえ固定する為の側面紙押さえ８１ｄ、８３ｄ、８４ｄ及び８２ｄ、８４ｄ、８５ｄを設け、複数の充積部から供給紙を（取り出し方向６１ｄ、６２ｄに）取り出す為の複数の取り出し部を設けた事務用家庭用の紙に情報を写す装置である。
尚、取り出し部は、図示を省略しているが、充積部の供給紙を図中の取り出し方向（矢印方向）に一枚毎に供給する為の装置であり、従来技術を用いて或いは従来技術の一部を利用して図中の取り出し付近（矢印付近）に設ける事が可能な技術である。
【００３５】
請求項３及び４の発明に関する形態は、図３、４、６、７の概略図がこの代表例を示している。
例えば、図３の代表例は、同一給紙場所１４ａが、一つの用紙カセット５４ａ又は一つの用紙ユニット４４ａである請求項１、２の事務用家庭用の紙に情報を写す装置である。
例えば、図４の代表例は、同一給紙場所１２ｂが、一つの用紙カセット５２ｂである請求項１、２の事務用家庭用の紙に情報を写す装置である。
例えば、図６の代表例は、同一給紙場所１４ｄが、一つの用紙カセット５４ｄ又は一つの用紙ユニット４４ｄである請求項１、２の事務用家庭用の紙に情報を写す装置である。
例えば、図７（７−１）の代表例は、同一給紙場所１１ｅが、一つの用紙カセット５１ｅである請求項１、２の事務用家庭用の紙に情報を写す装置である。
例えば、図７（７−２）の代表例は、同一給紙場所１１ｆが、一つの用紙カセット５１ｆである請求項１、２の事務用家庭用の紙に情報を写す装置である。
【００３６】
請求項３及び５の発明に関する形態は、図５の概略図がこの代表例を示している。
例えば、図５の代表例は、同一給紙場所１２ｃが、同一平面上にある複数の用紙カセット５２ｃ、５３ｃである請求項１、２の事務用家庭用の紙に情報を写す装置である。
尚、同一平面上にある複数の用紙ユニットの代表図は省略しているが、図５の概略図に準じて、同一平面上に複数の用紙ユニットを設ける事により実施可能である。
尚、図例は、用紙カセットの出し入れ方向を、正面と側面に分けて設けているが、同一方向に設ける事が可能である。
【００３７】
請求項６の発明に関する形態は、図３、５の概略図がこの代表例を示している。
例えば、図３の代表例は、複数の充積部３１ａ、３２ａを平面上の供給紙７１ａ、７２ａの取り出し方向６１ａ、６２ａに平行に並べて設ける事が可能な請求項１、２、３、４、５の事務用家庭用の紙に情報を写す装置である。
更に、図３の代表例に関して具体的に示せば、複数の充積部３１ａ、３２ａから供給紙７１ａ、７２ａを取り出す為の複数の取り出し部を背中合わせにして設け、給紙場所１４ａの両端方向から供給紙７１ａ、７２ａを取り出す事が可能な事務用家庭用の紙に情報を写す装置である。
尚、背中合わせは、図３（３−１）、（３−２）の図例では、取り出し部を右向きと左向きに設ける事である。
【００３８】
例えば、図５の代表例は、複数の充積部３１ｃ、３２ｃを平面上の供給紙７１ｃ、７２ｃの取り出し方向６１ｃ、６２ｃに平行に並べて設ける事が可能な請求項１、２、３、４、５の事務用家庭用の紙に情報を写す装置である。
更に、図５の代表例に関して具体的に示せば、複数の充積部３１ｃ、３２ｃから供給紙７１ｃ、７２ｃを取り出す為の複数の取り出し部を同一方向に向けて設け、給紙場所１２ｃの端方向６２ｃと内方向６１ｃから供給紙を取り出す事が可能な紙に情報を写す装置である。
尚、同一方向に向けては、図５（５−２）の図例では、取り出し部を上向きに、図５（５−３）の図例では、取り出し部を左向きに設ける事である。
【００３９】
請求項７の発明に関する形態は、図４、６の概略図がこの代表例を示している。
例えば、図４の代表例は、複数の充積部３１ｂ、３２ｂを平面上の供給紙７１ｂ、７２ｂの取り出し方向６１ｂ、６２ｂと直角に交差する方向に並べて設ける事が可能な請求項１、２、３、４、５の事務用家庭用の紙に情報を写す装置である。
更に、図４の代表例に関して具体的に示せば、複数の充積部３１ｂ、３２ｂから供給紙７１ｂ、７２ｂを取り出す為の複数の取り出し部を設け、供給紙７１ｂ、７２ｂを充積部３１ｂ、３２ｂの配置を保ち充積部から加工場所２１ｂ、２２ｂに供給する事が可能であり、コピーを行なう場合に於いて、加工場所２１ｂに合わせて送られた供給紙７１ｂは情報の読み取り作業や情報の写し作業、前記以外の加工場所２２ｂに送られた供給紙７２ｂは加工場所に合わせた情報の処理の設定の作業を経て情報の読み取りの作業や情報の写し作業の機能を設け、更にプリントを行なう場合に於いて、加工場所２１ｂに合わせて送られた供給紙７１ｂは情報源よりの情報の受信作業や情報の写し作業、前記以外の加工場所２２ｂに送られた供給紙７２ｂは加工場所に合わせた情報の処理の設定の作業を経て情報源よりの情報の受信作業や情報の写し作業の機能を設けた請求項１、２、３、４、５の事務用家庭用の紙に情報を写す装置である。
尚、加工場所は、供給紙に情報を写す場所である。
【００４０】
例えば、図６の代表例は、複数の充積部３１ｄ、３２ｄを平面上の供給紙７１ｄ、７２ｄの取り出し方向６１ｄ、６１ｄと直角に交差する方向に並べて設ける事が可能な請求項１、２、３、４、５の事務用家庭用の紙に情報を写す装置である。
更に、図６の代表例に関して具体的に示せば、複数の充積部３１ｄ、３２ｄから供給紙７１ｄ、７２ｄを取り出す為の複数の取り出し部を設け、それぞれの充積部３１ｄ、３２ｄから取り出された供給紙７１ｄ、７２ｄを集約して同一場所の加工場所２１ｄに供給する事が可能な事務用家庭用の紙に情報を写す装置である。
【００４１】
請求項８、９の発明に関する形態は、図３、４、５、６、７の概略図がこの代表例を示している。
例えば、図３の代表例は、定型用紙のＡ５サイズ専用又はＡ５サイズ以下専用の充積部３１ａを設けた事務用家庭用の紙に情報を写す装置である。
例えば、図４の代表例は、定型用紙のＡ５サイズ専用又はＡ５サイズ以下専用の充積部３１ｂを設けた事務用家庭用の紙に情報を写す装置である。
例えば、図４の代表例は、定型用紙のＡ５サイズ以下専用の充積部３２ｂを設けた事務用家庭用の紙に情報を写す装置である。
例えば、図５の代表例は、定型用紙のＡ５サイズ専用又はＡ５サイズ以下専用の充積部３２ｃを設けた事務用家庭用の紙に情報を写す装置である。
例えば、図６の代表例は、定型用紙のＡ５サイズ専用又はＡ５サイズ以下専用の充積部３２ｄを設けた事務用家庭用の紙に情報を写す装置である。
例えば、図７（７−１）の代表例は、定型用紙のＡ５サイズ専用又はＡ５サイズ以下専用の充積部３２ｅを設けた事務用家庭用の紙に情報を写す装置である。
例えば、図７（７−１）の代表例は、定型用紙のＡ５サイズ以下専用の充積部３１ｅを設けた事務用家庭用の紙に情報を写す装置である。
例えば、図７（７−２）の代表例は、定型用紙のＡ５サイズ専用又はＡ５サイズ以下専用の充積部３１ｆを設けた事務用家庭用の紙に情報を写す装置である。
【００４２】
更に、請求項９の発明は、定型用紙のＡ５サイズ専用又はＡ５サイズ以下専用の充積部を装置本体の任意の場所に設ける事により実施可能である。
尚、この図示は省略する。
【００４３】
尚、側面紙押さえガイドを兼用可能にする事により、これを充積部単位で設ける場合と比較して、給紙場所の構造の簡略化を可能にする。
これに関する形態は、図３、４、６、７の概略図がこれを示している。
例えば、図３の代表例は、一つの側面紙押さえガイド９１ａで複数の側面紙押さえ８１ａ、８２ａの紙押さえを可能にする。
例えば、図４の代表例は、一つの側面紙押さえガイド９１ｂで複数の側面紙押さえ８１ｂ、８２ｂの紙押さえを可能にする。
例えば、図６の代表例は、一つの側面紙押さえガイド９１ｄで複数の側面紙押さえ８１ｄ、８２ｄ、８４ｄの紙押さえを可能にする。
例えば、図７（７−１）の代表例は、一つの側面紙押さえガイド９１ｅで複数の側面紙押さえ８２ｅ、８４ｅ、８６ｅの紙押さえを可能にする。
例えば、図７（７−２）の代表例は、一つの側面紙押さえガイド９１ｆで複数の側面紙押さえ８１ｆ、８２ｆの紙押さえを可能にする。
例えば、図７（７−２）の代表例は、一つの側面紙押さえガイド９２ｆで複数の側面紙押さえ８５ｆ、８６ｆの紙押さえを可能にする。
【００４４】
尚、側面紙押さえを兼用可能にする事により、これを充積部単位で設ける場合と比較して、給紙場所の構造の簡略化を可能にする。
これに関する形態は、図６、７の概略図がこれを示している。
例えば、図６の代表例は、側面紙押さえ８４ｄが、隣り合う充積部３１ｄ、３２ｄの供給紙７１ｄ、７２ｄの側面の紙押さえを同時に可能にする。
例えば、図７（７−１）の代表例は、側面紙押さえ８２ｅ、８４ｅが、隣り合う充積部３１ｅ、３２ｅ、３３ｅの供給紙７１ｅ、７２ｅの側面の紙押さえを同時に可能にする。
（尚、充積部３３ｅは、給紙していない状態で示している。）
例えば、図７（７−２）の代表例は、側面紙押さえ８１ｆが、隣り合う充積部３３ｆ、３４ｆの供給紙の側面の紙押さえを同時に可能にする。
（尚、充積部３３ｆ、３４ｆは、給紙していない状態で示している。）
例えば、図７（７−２）の代表例は、側面紙押さえ８６ｆが、隣り合う充積部３１ｆ、３２ｆの供給紙７１ｆ、７２ｆの側面の紙押さえを同時に可能にする。
【符号の説明】
【００４５】
１で始まる符号（１４ａ、１２ｂ、１２ｃ、１４ｄ、１１ｅ、１１ｆ、他）  給紙場所
２で始まる符号（２１、２１ａ、２１ｂ、２２ｂ、２１ｃ、２１ｄ）  加工場所
３で始まる符号（３１ａ、３２ａ、３１ｂ、３２ｂ、３１ｃ、３２ｃ、他）  充積部
４で始まる符号（４１ａ、４２ａ、４３ａ、４４ａ、４４ｄ、他）  用紙ユニット
５で始まる符号（５４ａ、５２ｂ、５２ｃ、５３ｃ、５４ｄ、他）  用紙カセット
６で始まる符号（６１ａ、６２ａ、６１ｂ、６２ｂ、他）  供給紙の取り出し方向
７で始まる符号（７１ａ、７２ａ、７１ｂ、７２ｂ、７１ｃ、７２ｃ、他）  供給紙
８で始まる符号（８１ａ、８２ａ、８３ａ、８４ａ、８５ａ、他）  側面紙押さえ
９で始まる符号（９１ａ、９１ｂ、９１ｄ、９１ｅ、他）  側面紙押さえガイド
Ａ３、Ａ４、Ａ５、Ｂ４、Ｂ５、Ｂ６  定型用紙のサイズ
【図１】
2012229079.tif 000003
【図２】
2012229079.tif 000004
【図３】
2012229079.tif 000005
【図４】
2012229079.tif 000006
【図５】
2012229079.tif 000007
【図６】
2012229079.tif 000008
【図７】
2012229079.tif 000009